(57)【特許請求の範囲】
【請求項１】
吸い込んだ空気を吹き出す空気吹出し部を備えた熱交換器と、この熱交換器の下部から上記熱交換器の空気吹出し部側の前方に延在して設けられて前記熱交換器において発生したドレン水を溜めるドレンパンと、前記熱交換器の空気吹出し部側から空気吹出し方向に延在して設けられて前記熱交換器から吹き出された空気を前記ドレンパンに近づけるように前記吹出し空気にダウンフローを発生させる水飛び防止部とを備え、
この水飛び防止部は、その空気吹出し方向先端部が前記ドレンパンに近づくように折曲又は屈曲した形状を有することを特徴とする空気調和機。
【請求項２】
前記水飛び防止部は、前記熱交換器の空気吹出し面全幅と略等しい細長のプレート形状を有して、前記熱交換器の空気吹出し面下方から略水平に延在するように設けられていることを特徴とする、請求項１に記載の空気調和機。
【請求項３】
前記水飛び防止部の空気吹出し方向端部が、前記ドレンパンの空気吹出し方向端部よりも前記熱交換器の空気吹出し部側近くに形成されていることを特徴とする、請求項１に記載の空気調和機。
【請求項４】
前記水飛び防止部の前記熱交換器側端部と前記熱交換器の空気吹出し部との間には、前記熱交換器において発生したドレン水を前記吹出し部に沿ってドレンパンに流下させ、且つ前記ドレンパンと前記水飛び防止部との間で発生したドレン水のスプレーを通過させない程度の隙間が形成されていることを特徴とする、請求項１に記載の空気調和機。
【請求項５】
前記水飛び防止部は、前記熱交換器に着脱自在に取り付けられていることを特徴とする、請求項１に記載の空気調和機。
【請求項６】
前記水飛び防止部は、前記熱交換器を保持した保持フレーム又は前記ドレンパンに取り付けられていることを特徴とする、請求項１に記載の空気調和機。
【請求項７】
少なくとも２つの前記水飛び防止部が、前記熱交換器の空気吹出し部側に鉛直方向に所定間隔離間して設けられていることを特徴とする、請求項１に記載の空気調和機。
【請求項８】
前記水飛び防止部の前記空気吹出し方向下流に、前記吹出し空気に対する再加熱装置が設けられたことを特徴とする、請求項１に記載の空気調和機。
【発明の詳細な説明】
【０００１】
【発明の属する技術分野】
本発明は、空気調和機に係り、特に、熱交換器において発生したドレン水が送風によって熱交換器の吹出し部から飛散するのを最小限に抑える装置に関する。
【０００２】
【従来の技術】
近年の住宅用断熱材の高品質化に伴い、住宅の冷暖房における気密断熱性が向上している。従って、住宅に設置される空気調和機の能力は従来より低くて済むようになっている。これに伴い、従来の空気調和機に較べて小型の空気調和機を使用されることも多い。
【０００３】
一方、住宅の容積は従来と同じか、若しくは従来より大きくなっているので、快適性を維持しながら全館空調を行なうためには、住宅内を循環させる空気量を従来と同じか、従来より増加させる必要がある。その為、従来より小型の空気調和機を使用した場合、空気調和機の空気送風量を増大させなければならない。従って、空気調和機の空気吹出し口から空気が従来より勢い良く吹出される。即ち、空気調和機の単位能力当たりの送風量が増加する傾向にある。
【０００４】
【発明が解決しようとする課題】
例えば、冷房運転時においては、熱交換器において空気中の湿気が凝縮し、ドレン水（凝縮水）が発生する。その為、熱交換器を通過する際の空気流速がある程度大きくなると、ドレン水が空気調和機の周囲に飛散することがある。
従って、上述のように空気が熱交換器から勢い良く吹出されると、ドレン水がドレンパンに十分集められず、この吹出し空気によって空気調和機の周囲（特に空気吹出し方向下流側）に飛散してしまうことがある。
【０００５】
かかる空気調和機を例えば図８に示す住宅の天井裏に設置した場合、ファン５１によってコイル５２から吹出されたドレン水Ｄがドレンパン５３に流下せずに空気調和機５０の前方に飛び散り、天井の空気送出口５３から室内に滴下することがある。
又、かかる空気調和機を例えば図９に示す住宅の天井裏に設置した場合、コイル６２から吹出されたドレン水Ｄはドレンパン６３に流下せずに空気調和機６０の前方に飛び散る。従って、空気調和機６０を長期間使用すると、ドレン水Ｄが飛び散った領域にカビＭが発生し、カビＭによる異臭を伴った吹出し空気がダクト６４，６５を介して天井の空気送出口６６，６７から室内に吹出される。又、これらのカビＭによって人体に有害な影響を及ぼす恐れもある。
【０００６】
このような不具合を防止するために、図１０に示すように、熱交換器７０の空気吹出し口７１下部近傍にドレン飛散防止板７２を吹出し面と平行に立設した空気調和機が実開昭６２−６０８０８号公報に開示されている。
しかし、ドレン飛散防止板７２をこのような位置に設けたのでは、熱交換器下部のパイプ７３付近を通過する空気の流量抵抗が増大する。その結果、熱交換に有効なコイル投影面積が減少してしまい熱交換効率が低下する。従って、ドレン飛散防止板を備えない空気調和機と同等の能力を確保するためには、空気調和機全体を大型化せざるを得ず、機器設置に関する省スペース化の要請に反する。
【０００７】
又、図１１に示すように、ドレンパン８１の先端に水飛び防止装置８２を延在させ、ドレンパン８１を越えて飛散したドレン水を再びドレンパン８１に戻す構造を有した空気調和機が特開平５−１４１６８８号公報に開示されている。
しかし、このような構造では、空気調和機全長が従来の空気調和機よりも長くなり、上述と同様に機器設置に関する省スペース化の要請に反する。
【０００８】
本発明の目的は、吹出し空気の風速が大きくなってもドレン水が飛散することのない空気調和機を提供することにある。
【０００９】
【課題を解決するための手段】
上述の目的を達成するために、本発明に係る空気調和機は、熱交換器の下部から該熱交換器の空気吹出し部側の前方に延在して設けられて前記熱交換器において発生したドレン水を溜めるドレンパンを備えたものであって、特に前記熱交換器の空気吹出し部側に、この空気吹出し部から空気吹出し方向に延在して、空気吹出し方向先端部がドレンパンに近づくように折曲又は屈曲した形状を有する水飛び防止部を設け、この水飛び防止部によって熱交換器の吹出し空気をドレンパンに近づけるダウンフローを吹出し空気に発生させることを特徴としている。
【００１０】
水飛び防止部によって熱交換器からの吹出し空気にダウンフローを発生させることで吹出し空気をドレンパンに近づけるようにする。これによって、熱交換器において発生して吹出し空気によって飛散したドレン水をドレンパンに確実に集める。その結果、空気調和機の空気吹出し側へのドレン水の望ましくない飛散を防止する。
【００１１】
又、本発明の請求項２に記載された空気調和機は、請求項１に記載の空気調和機において、水飛び防止部が、前記熱交換器の空気吹出し面全幅と略等しい細長のプレート形状を有して、前記熱交換器の空気吹出し面下方から略水平に延在するように設けることを特徴としている。
熱交換器からの吹出し空気に、特に熱交換器の空気吹出し面下方からの吹出し空気に該熱交換器の空気吹出し面全幅に亘ってダウンフローを発生させることで、吹出し空気によって飛散したドレン水の一部を水飛び防止部に付着させてドレン水を確実に集める。
【００１２】
又、本発明の請求項３に記載された空気調和機は、請求項１に記載の空気調和機において、水飛び防止部の空気吹出し方向端部がドレンパンの空気吹出し方向端部よりも空気吹出し部側近くに形成されていることを特徴としている。
吹出し空気によって飛散された熱交換器のドレン水をドレンパンによって確実に集める。
【００１３】
又、本発明の請求項４に記載された空気調和機は、請求項１に記載の空気調和機において、水飛び防止部の熱交換器側端部と熱交換器の空気吹出し部との間に、熱交換器において発生したドレン水を吹出し部に沿ってドレンパンに流下させ、且つドレンパンと水飛び防止部との間で発生したドレン水のスプレーを通過させない程度の隙間が形成されていることを特徴としている。
【００１４】
熱交換器において発生したドレン水を、水飛び防止部上方に飛散させることなく効率良くドレンパンに集める。
又、本発明の請求項５に記載された空気調和機は、請求項１に記載の空気調和機において、水飛び防止部が、熱交換器に着脱自在に取り付けられていることを特徴としている。
【００１５】
水飛び防止部を熱交換器から取り外すことができるので、ドレン水を確実に集めるのに加えて、熱交換器やドレンパンの清掃を容易に行なうことができる。
又、本発明の請求項６に記載された空気調和機は、請求項１に記載の空気調和機において、水飛び防止部が、熱交換器の保持フレーム又はドレンパンに取り付けられていることを特徴としている。
【００１６】
水飛び防止部が熱交換器に取り付けられていないので、例えばクリーニングやメンテナンス時に熱交換器を破損することなく水飛び防止部と熱交換器を引き離すことができる。
又、本発明の請求項７に記載された空気調和機は、請求項１に記載の空気調和機において、少なくとも２つの水飛び防止部が、熱交換器の空気吹出し部側に鉛直方向に所定間隔離間して設けられていることを特徴としている。
【００１７】
上方の水飛び防止板によって、水飛び防止板間に吹出す吹出し空気にダウンフローを形成させる。その為、この吹出し空気が下向きのエアカーテンとしての役目を果たすようになり、下方の水飛び防止板とドレンパンとの間の吹出し空気に鉛直下方の速度成分を増大させる。その結果、下方の水飛び防止板だけでは捕捉しきれないドレン水をドレンパンに突入させ、ドレン水の飛散量を更に低減させる。
【００１８】
又、本発明の請求項８に記載された空気調和機は、水飛び防止部の空気吹出し方向下流に吹出し空気再加熱装置が設けられたことを特徴としている。
ドレン水の望ましくない飛散を回避できるので、簡易な電気ヒータ等で構成された空気再加熱装置を、漏電等の問題を心配することなく水飛び防止部の空気吹出し方向下流に備えることができる。
【００１９】
【発明の実施の形態】
以下、図面を参照して本発明の第１の実施形態に係る空気調和機について説明する。
本発明の第１の実施形態に係る空気調和機１０は、図１に示すように、熱交換器１１と、熱交換器１１の下部に取り付けられたドレンパン１２と、熱交換器１１の側部下方に取り付けられた水飛び防止板１３と、熱交換器１１に空気を供給するファン１４と、これらを収容する筐体１５等とを備えている。
【００２０】
熱交換器１１は、例えばフロンや冷水等の媒体を利用した略直方体形状のコイルからなり、冷房時には熱交換器１１の空気吸込み面（図１中、右側面）から導入された空気をコイル通過時に冷却して空気吹出し面（図１中、左側面）から送出するようになっている（図１中の矢印Ｆ参照）。
ドレンパン１２は、冷房時に熱交換器に生じたドレン水を溜めるためのもので、空気吹出し口に沿って流下したドレン水を熱交換器１１の空気吹出し口付近に溜めるようになっている。尚、ドレンパン１２は、吹出し空気と共に飛散したドレン水のスプレーＳも集めるように空気吹出し口から一定量延在して形成されている。
【００２１】
水飛び防止板１３は、全長が熱交換器１１の空気吹出し面全幅と略等しい細長のプレート形状を有し、熱交換器１１の空気吹出し面下方から略水平に延在するように取り付けられている。又、水飛び防止板１３の空気吹出し方向先端部（図中、左端部）は、下方、即ち重力方向に折曲されている。尚、水飛び防止板１３の空気吹出し方向端部はドレンパン１２の空気吹出し方向端部よりも空気吹出し面側近くに形成されている。
【００２２】
尚、水飛び防止板１３の水平方向延在部１３ａは、吹出し空気を案内する風向きガイド部の役割を果たすと共に、後述するようにドレン水のスプレーＳを捕捉してドレンパン１２に滴下させる役目を果たす。
又、水飛び防止板１３の折曲部１３ｂは、水飛び防止板下側の吹出し空気にダウンフロー（下降流）を形成させる役目を果たすものである（図１中、矢印ｆ参照）。従って、空気吹出しの際の抵抗とならないように最小限の長さだけ折り曲げられている。
【００２３】
水飛び防止板１３が空気吹出し面の下方に取り付けられている理由は、後述するようにドレンパン１２のドレン水溜まり部付近にはドレン水Ｄが集まってくるので、スプレーＳが最も発生し易く、これを効果的に捕捉することにある。従って、水飛び防止板１３をかかる位置に取り付けることで、スプレーＳの飛散を効果的に防止することができる。
【００２４】
水飛び防止板１３は、その両端部において熱交換器１１に固定されている。又、この両端部以外は、熱交換器１１の空気吹出し面と一定間隔離間している（図１中、ギャップＧ）。尚、この間隔は、熱交換器において発生したドレン水Ｄを空気吹出し面に沿ってドレンパン１２に流下させる一方、ドレンパン１２と水飛び防止板１３との間で発生したドレン水のスプレーＳを通過させない程度の間隔である。これによって、ドレン水を効率的に集める一方、水飛び防止板上方へのスプレーＳの飛散を効果的に防止することができる。
【００２５】
尚、水飛び防止板１３は、ステンレスの鋼板でできているが、必ずしもこれに限定されず樹脂等でできていても良い。
続いて、上述のような水飛び防止板を備えた空気調和機１０の作動方法について説明する。
図８や図９に示した従来例と同様に、本発明に係る空気調和機１０を例えば住宅の天井裏に設置する。
【００２６】
まず最初に空気調和機１０を冷房運転モードにして送風用ファン１４を作動させる。これによって、空気が熱交換器１１を通過する。
冷房運転時、熱交換器１１に流入した空気は熱交換器１１において熱交換され、その結果、空気の温度が低下する。これに伴い、熱交換器流入前と較べて空気の飽和水蒸気量も低下するため、過飽和分の水蒸気は熱交換器１１の表面に凝縮する。この凝縮水は熱交換器を伝わってドレン水Ｄとしてドレンパンに溜まり、排出される。
【００２７】
尚、水飛び防止板１３と熱交換器１１の空気吹出し面との間には上述の通り隙間Ｇが形成されているので、熱交換器１１の、水飛び防止板上方で発生したドレン水を重力の作用によって空気吹出し面に沿って熱交換器下方に流下させることができる。
ここで、熱交換器１１に流入する空気の湿り度が高く、且つその流入速度が大きい場合、熱交換器１１の下部に集まったドレン水から通過空気によってバブルが形成される。熱交換器から空気が吹出す際、このバブルは破裂してスプレーＳとなり、吹出し空気と共に熱交換器前方に飛散する。
【００２８】
一方、ドレンパン１２に溜まったドレン水Ｄの水面付近においても吹出し空気が通過する。吹出し空気の流速が大きいとドレン水Ｄの水面が波立ち、その結果、スプレーＳが発生して熱交換器前方（図１中、矢印Ｘ方向）に飛散する。
このようなスプレーＳは、直接又は水飛び防止板下方に発生した吹出し空気の渦流れによって水飛び防止板１３にぶつかり、再度、バルク状のドレン水Ｄとなり、ドレンパン１２に滴下する。一方、水飛び防止板１３によって捕捉されなかったスプレーＳは、吹出し空気のダウンフローによってドレンパン１２のドレン水溜まり部に突入する。
【００２９】
尚、水飛び防止板１３と熱交換器１１の空気吹出し面との間の隙間は、ドレン水を重力によって熱交換器下方に流下させるのに最低限必要な隙間なので、水飛び防止板下方の吹出し空気がこの隙間を通って水飛び防止板上方に吹出されることはない。従って、ドレンパン１２と水飛び防止板１３との間で発生したドレン水のスプレーＳがこの隙間を通って水飛び防止板上方に飛散することはない。
【００３０】
又、水飛び防止板１３の端部はドレンパン１２の端部よりも空気吹出し面近くに形成されているので、飛散したスプレーＳを水飛び防止板１３で捕捉してドレンパン１２に確実に集めることができ、スプレーＳを空気調和機１０の周囲に飛散させずに済む。
以上説明したように、上述の水飛び防止板１３を備えた空気調和機を使用すると、ドレン水のスプレーＳが水飛び防止板１３によって再度バルクな液体となり、ドレンパン１２に滴下するので、ドレン水のドレンパン以外への飛散を効果的に防ぐことができる。
【００３１】
又、水飛び防止板１３は、吹出し空気の流れ方向に沿って設けられ、且つ水飛び防止板の端部は、吹出し空気にダウンフローを生じさせるだけの折り曲げ量を有しているので、熱交換器１１の空気吹出し方向投影面積（筐体に対する有効コイル面積）を殆ど減らすことがない。その結果、熱交換器１１からの吹出し空気の流れを妨げず、熱交換器１１の熱交換効率を悪化させずに済む。
【００３２】
又、ドレン水のバブルが最も発生し易い領域の上方に水飛び防止板１３が取り付けられているので、ドレンパン１２に溜まったドレン水の水位が変化してもこの影響を受けずにドレン水のスプレーＳを確実に捕捉することができる。
更に、水飛び防止板１３は、全長が熱交換器１１の全幅を超えず、且つ吹出し方向端部がドレンパン１２の端部より熱交換器側に取り付けられているので、従来の空気調和機と同一の寸法を維持することができる。
【００３３】
尚、水飛び防止板１３の折曲部１３ｂは、吹出し空気にダウンフローを形成させるように折れ曲がっていれば良い。従って、必ずしも直角に折れ曲がっている必要はなく、吹出し方向前方に斜めに折れ曲がったり、所定の曲率をもって下方に屈曲していても良い。
又、上述の実施形態と異なり、図２及び図３に示すように、熱交換器２１の吹出し面の幅方向において吹出し空気の風速が大きい領域だけ水飛び防止板２３を設けるようにしても良い。即ち、図３において、矢印Ｆ1，Ｆ2，・・・で示す熱交換器２１の幅方向の吹出し空気風速分布において、一定の閾値を越えた範囲に対応する長さの水飛び防止板２３を取り付けるようにしても良い。より小型の水飛び防止板２３を用いることで、使用材料を節約できると共に吹出し空気の圧力損失を低減させることができる。尚、この閾値は、使用する熱交換器や吹出し空気量に応じて適時設定することができる。
【００３４】
又、上述の実施形態と異なり、図４に示すように、第１の実施形態と同様の水飛び防止板３３の更に上方に水飛び防止板３６を設けても良い。図４においては、上方の水飛び防止板３６は、下方の水飛び防止板３３と略同等の形状を有しているが、バブルのスプレーＳを確実に捕捉できるのであれば、下方の水飛び防止板３３より小型であっても良い。このように水飛び防止板３３，３６を併設することで、熱交換器３１の下方に集まってきたドレン水から生じるスプレーＳを確実に捕捉することができる。
【００３５】
又、上方の水飛び防止板３６も端部に下方折り曲げ部３６ｂを有しているので、両水飛び防止板間に吹出す吹出し空気にダウンフロー（図４中の矢印ｆ2）を形成させる。その為、この吹出し空気が下向きのエアカーテンとしての役目を果たすようになり、下方の水飛び防止板３３とドレンパン３２との間の吹出し空気（図４中の矢印ｆ1）に鉛直下方の速度成分を増大させる。その結果、下方の水飛び防止板３３だけでは捕捉しきれないスプレーＳをドレンパン３２に突入させ、ドレン水の飛散量を更に低減することができる。
【００３６】
尚、このような水飛び防止板を３つ以上離間させて設けても良い。
又、上述の実施形態と異なり、図５に示すように、水飛び防止板４３をドレンパン４２に着脱自在に取り付けても良い。水飛び防止板４３は、図６に示すように、上面視角型Ｃ字形状を有し、先端部４３ｅが図示しないネジ等の締結具でドレンパン４２に取り付けられている。又、吹出し空気側端部４３ｔは、上述の実施形態と同様に一定の間隙Ｇを保った状態で熱交換器４１の空気吹出し面に近接している。又、先端部間には吹出し空気にダウンフロー（図中矢印ｆ）を形成させる折曲部４３ｂがドレンパン４２に向かって形成されている。
【００３７】
このように水飛び防止板４３をドレンパン４２に取り付けることで、例えばクリーニングやメンテナンス時に熱交換器を破損することなく水飛び防止部と熱交換器を引き離すことができる。
尚、水飛び防止板をドレンパンと一体に成形しても良い。これによって、部品点数の削減を図ることができる。又、水飛び防止板をその両端部でドレンパンに取り付けず、その中間部で数カ所取り付けるようにしても良い。
【００３８】
同様に、水飛び防止板を空気調和機の筐体自体に取り付けるようにしても良い。これによって、クリーニングやメンテナンス時に熱交換器を破損することなく水飛び防止部と熱交換器を引き離すことができる。
続いて、本発明の第２の実施形態に係る空気調和機について説明する。
尚、第１の実施形態にかかる構成と同等の構成については、対応する符号を付して詳細な説明を省略する。
【００３９】
本発明の第２の実施形態に係る空気調和機１００は、図７に示すように、熱交換器１１１と、熱交換器１１１の下部に取り付けられたドレンパン１１２と、熱交換器１１１の側部下方に取り付けられた水飛び防止板１１３と、熱交換器１１１に空気を供給するファン１１４と、空気吹出し方向下流に設けられた電気ヒータ（吹出し空気再加熱装置）１２０と、これらを収容する筐体１１５等とを備えている。
【００４０】
電気ヒータ１２０は、一旦冷却された空気を再加熱するためのもので、空気調和機１００の除湿モードにおいて使用される。
水飛び防止板１１３は、第１の実施形態と同様の材質及び形状を有している。又、水飛び防止板１１３の先端部には折曲部１１３ｂが形成されている。この構成によって、ドレン水のスプレーを捕捉してドレンパン１１２に滴下させると共に、吹出し空気にダウンフローを形成させてドレン水のスプレーをドレンパン１１２に突入させ、その結果、ドレン水の望ましくない飛散を防止する。
【００４１】
ドレン水の飛散に起因するヒータ漏電やカビ発生による機器故障を防止するために、従来の空気調和機では、空気吹出し方向近傍に電気ヒータを設けることができず、空気調和機全体が大型化してしまう傾向にあった。又、再加熱装置として温水パイプを併設しても同様に装置が大型化していた。
しかし、本発明の第２の実施形態に係る空気調和機のように、水飛び防止板１１３を備えると、ドレン水の飛散を防ぐことができるので、熱交換器１１１の空気吹出し方向近傍に簡易な構成の電気ヒータ１２０を設けることができ、従来より空気調和機全体を小型化できる。その結果、省スペースの要請に応えることができる。
【００４２】
尚、本発明に係る空気調和機は、上述の実施形態に示した住宅への使用に限定されず、ビル内の空気循環を行なうエアハンドリングユニットや冷房を行なうファンコイルユニットに使用することも可能である。
【００４３】
【発明の効果】
以上説明したように、本発明に係る空気調和機は、水飛び防止部によって熱交換器からの吹出し空気にダウンフローを発生させることで吹出し空気をドレンパンに近づけるようにするので、熱交換器において発生し、吹出し空気によって飛散したドレン水をドレンパンに集めるようにする。その結果、空気調和機の空気吹出し側へのドレン水の望ましくない飛散を防止することができる。
【００４４】
又、水飛び防止部によって熱交換器下部の流れを乱すことがないので、熱交換器の熱交換効率を低下させることなくドレン水の飛散を防ぐことができる。
特に熱交換器からの吹出し空気にダウンフローを発生させると共に、吹出し空気によって飛散したドレン水のスプレーの一部を水飛び防止部に付着させてドレン水の望ましくない飛散を確実に防止することができる。
【００４５】
又、本発明の請求項３に記載された空気調和機は、吹出し空気によって飛散されたドレン水をドレンパンによって確実に集めることができる。
又、本発明の請求項４に記載された空気調和機は、熱交換器において発生したドレン水の望ましくない飛散を防止しつつ、ドレン水を効率良くドレンパンに集めることができる。
【００４６】
又、本発明の請求項５に記載された空気調和機は、上記効果に加えて、水飛び防止部を熱交換器から取り外すことで、熱交換器やドレンパンを容易に清掃することができる。
又、本発明の請求項６に記載された空気調和機は、水飛び防止部が熱交換器に取り付けられていないので、例えばクリーニングやメンテナンス時に熱交換器を破損することなく水飛び防止部と熱交換器を引き離すことができる。
【００４７】
又、本発明の請求項６に記載された空気調和機は、上方の水飛び防止板によって、水飛び防止板間に吹出す吹出し空気にダウンフローを形成させる。その為、この吹出し空気が下向きのエアカーテンとしての役目を果たすようになり、下方の水飛び防止板とドレンパンとの間の吹出し空気に鉛直下方の速度成分を増大させる。その結果、下方の水飛び防止板だけでは捕捉しきれないスプレーをドレンパンに突入させ、ドレン水の飛散量を更に低減させることができる。
【００４８】
又、本発明の請求項８に記載された空気調和機は、吹出し電気ヒータ等で構成された空気再加熱装置を、漏電等の問題を心配することなく水飛び防止部の空気吹出し方向下流に備えることができる。その結果、熱交換器近傍に簡易な構成の空気再加熱装置を熱交換器近傍に配置できるようになり、空気調和機全体を小型化することができる。
【図面の簡単な説明】
【図１】本発明の第１の実施形態に係る空気調和機を一部断面で概略的に示す図である。
【図２】図１の空気調和機の変形例を一部断面で概略的に示す図である。
【図３】図２の空気調和機の一部を概略的に示す上面図である。
【図４】図１の空気調和機の別の変形例を一部断面で概略的に示す図である。
【図５】図１の空気調和機の更に別の変形例を一部断面で概略的に示す図である。
【図６】図５の空気調和機の一部を概略的に示す上面図である。
【図７】本発明の第２の実施形態に係る空気調和機を設置した住宅を概略的に示す図である。
【図８】従来の空気調和機を設置した住宅を概略的に示す図である。
【図９】従来の空気調和機を設置した住宅を概略的に示す図である。
【図１０】ドレン水飛散防止部を備えた従来の空気調和機を一部断面で概略的に示す図である。
【図１１】ドレン水飛散防止部を備えた従来の空気調和機を一部断面で概略的に示す図である。
【符号の説明】
１０    空気調和機
１１    熱交換器
１２    ドレンパン
１３    水飛び防止板
１３ａ    水平方向延在部
１３ｂ    折曲部
１４    ファン
１５    筐体
２１    熱交換器
２３    水飛び防止板
３１    熱交換器
３３    水飛び防止板
３６    水飛び防止板
３６ｂ    下方折り曲げ部
４２    ドレンパン
４３    水飛び防止板
４３ｂ    折曲部
１００    空気調和機
１１１    熱交換器
１１２    ドレンパン
１１３    水飛び防止板
１１４    ファン
１２０    電気ヒータ
【図１】
0003747399.tif 000002
【図２】
0003747399.tif 000003
【図３】
0003747399.tif 000004
【図４】
0003747399.tif 000005
【図５】
0003747399.tif 000006
【図６】
0003747399.tif 000007
【図７】
0003747399.tif 000008
【図８】
0003747399.tif 000009
【図９】
0003747399.tif 000010
【図１０】
0003747399.tif 000011
【図１１】
0003747399.tif 000012